(57)【要約】【課題】  停電などが発生して電力供給を切り換える場合でも、安全に信号灯器の制御を行うことのできる交通信号システムを提供する。【解決手段】  交差点に設置される信号灯器３の点灯制御を行う信号制御装置１と、充電装置により充電されるバッテリ１１および電源装置８から供給される電力とバッテリ１１から供給される電力とを切り換える切り換えユニット９を備えてなるバックアップ装置７と、を備えてなり、信号制御装置１は、バッテリ１１から電力が供給されている間に、バックアップ制御部１３から出力されるバックアップ制御信号に基づく制御を行うように構成されている。【選択図】      図１
2011123594.tif 000002
【特許請求の範囲】
【請求項１】
交差点に設置される信号灯器の点灯制御を行う信号制御装置と、
充電装置により充電されるバッテリと、電源装置から供給される電力と前記バッテリから供給される電力とを切り換える切り換えユニットとを備えてなるバックアップ装置と、を備え、
前記信号制御装置は、前記バッテリから電力が供給されている間に、前記信号灯器の通常の制御に変えてバックアップ制御信号に基づく制御を行うように構成されていることを特徴とする交通信号システム。
【請求項２】
前記バックアップ装置は、前記バッテリの残量を検出するバッテリ残量計測部を備えており、前記信号制御装置は、前記バッテリ残量計測部により計測されたバッテリ残量に応じたバックアップ制御信号に基づく制御を行うように構成されていることを特徴とする請求項１に記載の交通信号システム。
【請求項３】
前記バックアップ装置は、前記バッテリから電力が供給されている間に、前記信号制御装置に前記バックアップ制御信号を出力するバックアップ制御部を備えていることを特徴とする請求項１または請求項２に記載の交通信号システム。
【請求項４】
前記バックアップ制御信号は、前記信号灯器を閃光動作または調光動作させるものであることを特徴とする請求項１から請求項３のいずれか一項に記載の交通信号システム。
【発明の詳細な説明】
【技術分野】
【０００１】
本発明は交通信号システムに係り、特に、停電などにより電源装置からの電力供給が停止された場合に、バックアップすることを可能とした交通信号システムに関するものである。
【背景技術】
【０００２】
一般に、道路の交差点に設置された信号灯器の点灯制御を行う交通信号システムが用いられている。そして、このような交通信号システムは、信号制御装置を備えており、この信号制御装置から、各信号灯器に対して各色の点灯信号線を個別に接続することにより、点灯制御を行うようになっている（例えば、特許文献１参照）。
【０００３】
そして、従来から、例えば、停電などにより、信号制御装置への電力供給が停止した場合に、交通信号システムが停止してしまうと、交通の混乱を招いてしまうことから、発動発電機を設置し、この発動発電機を用いて発電された電力供給に切り換えて信号灯器の点灯制御を行うようにしていた。
【先行技術文献】
【特許文献】
【０００４】
【特許文献１】特開平８−２７３０９６号公報
【発明の概要】
【発明が解決しようとする課題】
【０００５】
しかしながら、前記従来の技術では、発動発電機を用いた場合、発動発電機による電力供給に切り換える際に、時間がかかるため、一時的に信号灯器が何も点灯していない滅灯状態が生じてしまい、安全な通行が妨げられてしまうという問題を有している。しかも、発動発電機による電力供給に切り換えられた際に、信号制御装置による制御も、例えば、全方向赤色点灯という初期動作になってしまい、円滑な信号制御を行うことができなくなってしまうという問題を有している。
【０００６】
また、発動発電機は、かなり大型であるため、信号制御装置とは別個に発動発電機の設置スペースを確保する必要があり、また、燃料としてガソリンを用いるものであることから、一定期間ごとに所定の資格を有した人間による点検を行う必要があり、維持コストが極めて高くなってしまうという問題を有している。さらに、発動発電機は、ガソリンにより駆動されるエンジンを備えているため、動作音が大きく、周囲の環境にも好ましくないという問題を有している。
【０００７】
本発明は前記した点に鑑みてなされたものであり、停電などが発生して電力供給を切り換える場合でも、安全に信号灯器の制御を行うことのできる交通信号システムを提供することを目的とするものである。
【課題を解決するための手段】
【０００８】
本発明は前記目的を達成するために、請求項１の発明に係る交通信号システムは、交差点に設置される信号灯器の点灯制御を行う信号制御装置と、
充電装置により充電されるバッテリと、電源装置から供給される電力と前記バッテリから供給される電力とを切り換える切り換えユニットとを備えてなるバックアップ装置と、を備え、
前記信号制御装置は、前記バッテリから電力が供給されている間に、前記信号灯器の通常の制御に変えてバックアップ制御信号に基づく制御を行うように構成されていることを特徴とする。
【０００９】
請求項２に係る発明は、請求項１において、前記バックアップ装置は、前記バッテリの残量を検出するバッテリ残量計測部を備えており、前記信号制御装置は、前記バッテリ残量計測部により計測されたバッテリ残量に応じたバックアップ制御信号に基づく制御を行うように構成されていることを特徴とする。
【００１０】
請求項３に係る発明は、請求項１または請求項２において、前記バックアップ装置は、前記バッテリから電力が供給されている間に、前記信号制御装置に前記バックアップ制御信号を出力するバックアップ制御部を備えていることを特徴とする。
【００１１】
請求項４に係る発明は、請求項１から請求項３のいずれか一項において、前記バックアップ制御信号は、前記信号灯器を閃光動作または調光動作させる制御信号であることを特徴とする。
【発明の効果】
【００１２】
請求項１に係る発明によれば、電源装置からの電力供給が停止したことを検出したら、切り換えユニットによりバッテリからの電力供給に切り換えるようにしているので、電力供給が途絶えてしまうことがなく、信号灯器が何も点灯していない滅灯状態が発生してしまうことを確実に防止することができ、安全な通行を確保することができる。また、バッテリによる電力供給に切り換えた場合に、バックアップ制御信号に基づいて信号灯器を制御するようにしているので、信号制御装置による制御が初期動作に切り替わってしまうことがなく、適正な信号制御を行うことができる。さらに、バックアップ用の電源としてバッテリを用いるようにしているので、従来の発動発電機と比較して、極めて小型となり、設置スペースも信号制御装置を設置している電柱などの空きスペースに設置することができる。しかも、発動発電機のように点検などが不要であり、騒音もなく、維持コストの低減を図ることができ、環境にも極めて好ましいものである。
【００１３】
請求項２に係る発明によれば、信号制御装置により、バッテリ残量計に応じたバックアップ制御信号に基づく制御を行うようにしているので、信号制御装置による制御が初期動作に切り替わってしまうことがなく、バッテリの残量に応じた適正な信号制御を行うことができる。
【００１４】
請求項３に係る発明によれば、バックアップ装置に、バッテリから電力が供給されている間に、信号制御装置にバックアップ制御信号を出力するバックアップ制御部を設けるようにしているので、バックアップ制御部から出力されるバックアップ制御信号に基づいて適正な信号制御を行うことができる。
【００１５】
請求項４に係る発明によれば、バックアップ制御信号を、信号灯器を閃光動作または調光動作させる制御信号としているので、バッテリの消費量を低減させることができ、長時間にわたってバッテリによる信号制御を行うことができる。
【図面の簡単な説明】
【００１６】
【図１】本発明に係る交通信号システムの第１実施形態を示すブロック図である。
【図２】本発明に係る交通信号システムの第２実施形態を示すブロック図である。
【発明を実施するための形態】
【００１７】
以下、本発明の実施の形態について図面を参照しながら説明する。
【００１８】
図１は本発明に係る交通信号システムの第１実施形態を示す概略図である。
【００１９】
図１に示すように、本実施形態においては、交通信号システムは、信号制御装置１を備えており、信号制御装置１には、信号制御部２が設けられている。また、信号制御装置１には、信号制御部２からの制御信号に基づいて道路の交差点に設置され赤、青、黄などの点灯表示を行う信号灯器３の点灯制御を行う灯器開閉部４が設けられており、信号制御装置１には、各種配線の接続を行う接続部５および各部材への電源の供給を行う電源部６がそれぞれ設けられている。
【００２０】
また、本実施形態においては、交通信号システムは、バックアップ装置７を備えており、バックアップ装置７には、商用ＡＣの電源装置８が接続されている。バックアップ装置７には、電源装置８からの電力が供給される切り換えユニット９および充電器１０がそれぞれ設けられており、充電器１０には、この充電器１０により充電が行われるバッテリ１１が設けられている。なお、充電器１０としては、例えば、リチウムイオンバッテリ１１などが用いられる。さらに、バックアップ装置７には、バッテリ１１から送られる直流の電力を交流の電力に変換して切り換えユニット９に出力するインバータユニット１２が設けられている。
【００２１】
そして、切り換えユニット９は、電源装置８から供給される電力を信号制御装置１の電源部６に送るように構成されている。そして、切り換えユニット９は、電源装置８から供給される電力の電圧値などを測定し、例えば、停電などにより電源装置８からの電力供給が停止されたことを検出した場合に、バッテリ１１から供給される電力に切り換えて電源部６に供給するように構成されている。また、切り換えユニット９には、バックアップ制御部１３が設けられており、本実施形態においては、インバータユニット１２のバックアップ制御部１３により、バッテリ１１から電力が供給されている間は、電力消費を押さえるために、例えば、信号灯器３を黄色または赤色で点滅動作させる閃光動作や、信号灯器３の光量を低減させる調光動作をさせるためのバックアップ制御信号を出力するように構成されている。このバックアップ制御信号は、切り換えユニット９を介して信号制御装置１の信号制御部２に出力されるように構成されている。そして、信号制御装置１の信号制御部２は、バックアップ制御信号が入力されたら、信号灯器３の通常の制御に変えてバックアップ制御信号に基づく制御を行うように構成されている。
【００２２】
なお、バックアップ制御信号は、バッテリ１１による電力供給に切り換えられた直後に出力するようにしてもよいし、一定時間経過後に出力するようにしてもよい。また、閃光動作と調光動作とを同時に行うバックアップ制御信号を出力するようにしてもよいし、一定時間閃光動作のみあるいは調光動作のみを行うバックアップ制御信号を出力するようにしてもよい。このようにバッテリ１１による電力供給に切り換えられた際に、どのようなバックアップ制御信号を出力させるか否かは、プログラムによりあらかじめ設定しておく。
【００２３】
次に、本実施形態の作用について説明する。
【００２４】
本実施形態においては、電源装置８からの電力供給がある場合には、電源装置８からの電力が信号制御装置１の電源部６を介して信号制御部２に供給される。そして、信号制御部２により所定のプログラムに基づいて灯器開閉部４に制御信号を出力し、信号灯器３の点灯制御を行うものである。
【００２５】
また、停電などにより電源装置８からの電力供給が停止したことを検出したら、切り換えユニット９によりバッテリ１１からの電力供給に切り換え、バッテリ１１の電力を信号制御装置１の電源部６に送る。そして、バッテリ１１による電力供給が行われている間、バックアップ制御部１３から切り換えユニット９を介して信号制御部２にバックアップ制御信号を出力し、信号制御部２は、バックアップ制御信号に基づいて信号灯器３の点灯制御を行うようになっている。
【００２６】
以上述べたように、本実施形態においては、電源装置８からの電力供給が停止したことを検出したら、切り換えユニット９によりバッテリ１１からの電力供給に切り換えるようにしているので、電力供給が途絶えてしまうことがなく、信号灯器３が何も点灯していない滅灯状態が発生してしまうことを確実に防止することができ、安全な通行を確保することができる。また、バッテリ１１による電力供給に切り換えた場合に、バックアップ制御部１３によりバックアップ制御信号を出力し、バックアップ制御信号に基づいて信号灯器３を制御するようにしているので、信号制御装置１による制御が初期動作に切り替わってしまうことがなく、適正な信号制御を行うことができる。
【００２７】
また、バックアップ用の電源としてバッテリ１１を用いるようにしているので、従来の発動発電機と比較して、極めて小型となり、設置スペースも信号制御装置１を設置している電柱などの空きスペースに設置することができる。しかも、発動発電機のように点検などが不要であり、騒音もなく、維持コストの低減を図ることができ、環境にも極めて好ましいものである。
【００２８】
次に、本発明の第２実施形態について説明する。
【００２９】
本実施形態においては、図２に示すように、バックアップ装置７に、バッテリ１１の残量を計測するバッテリ残量計測部１４を設け、バックアップ制御部１３は、バッテリ残量計測部１４により計測されたバッテリ１１の残量に応じて、バックアップ制御信号を出力するようにしたものである。すなわち、例えば、バッテリ１１の残量が比較的多い場合には、バックアップ制御部１３からバックアップ制御信号を出力せずに、信号制御部２による通常の信号制御を行い、バッテリ１１の残量が少なくなってきたら、バックアップ制御信号による信号制御を行うなど、バッテリ１１の残量に応じた信号制御を行うように構成されている。なお、バッテリ１１の残量に応じてどのような制御を行うかは、プログラムによりあらかじめ設定しておく。
【００３０】
本実施形態においても、前記第１実施形態と同様に、電源装置８からの電力供給がある場合には、電源装置８からの電力が信号制御装置１の電源部６を介して信号制御部２に供給され、信号制御部２により所定のプログラムに基づいて灯器開閉部４に制御信号を出力し、信号灯器３の点灯制御を行うものである。
【００３１】
また、停電などにより電源装置８からの電力供給が停止したことを検出したら、切り換えユニット９によりバッテリ１１からの電力供給に切り換え、バッテリ１１の電力を信号制御装置１の電源部６に送る。そして、バッテリ１１による電力供給が行われている間、バッテリ１１の残量に応じて信号制御部２による信号制御またはバックアップ制御信号による信号制御を行うようになっている。
【００３２】
以上述べたように、本実施形態においても前記第１実施形態と同様に、電源装置８からの電力供給が停止したら、バッテリ１１からの電力供給に切り換えるようにしているので、電力供給が途絶えてしまうことがなく、滅灯状態が発生してしまうことを確実に防止することができ、安全な通行を確保することができる。また、信号制御装置１による制御が初期動作に切り替わってしまうことがなく、バッテリ１１の残量に応じた適正な信号制御を行うことができる。
【００３３】
なお、前記各実施形態においては、バックアップ制御部１３によりバックアップ制御信号を出力するようにしたが、バックアップ制御部１３からは、バッテリ１１による電力に切り換えられた旨の信号を信号制御部２に出力し、信号制御部２により灯器開閉部４にバックアップ制御信号を送るようにしてもよい。
【００３４】
また、本発明は上記実施形態に限定されるものではなく、本発明の趣旨に基づいて種々の変形が可能である。
【符号の説明】
【００３５】
１  信号制御装置
２  信号制御部
３  信号灯器
４  灯器開閉部
６  電源部
７  バックアップ装置
８  電源装置
９  切り換えユニット
１０  充電器
１１  バッテリ
１２  インバータユニット
１３  バックアップ制御部
１４  バッテリ残量計
【図１】
2011123594.tif 000003
【図２】
2011123594.tif 000004